(57)【要約】【課題】  本発明は、調香者が香りの専門知識をもたなくても、簡便に調香し、フレグランスを得ることができる調香用キットを提供するものである。【解決手段】  本発明は、香料の揮発度(持続性）を基準に「トップノート」、「ミドルノート」及び「エンドノート」の３つの「ノート」群に分類される香料組成物から構成され、調香者が３つの「ノート」群から、それぞれ少なくとも１種の香料組成物を選び、これらを調合してフレグランスを得るための調香用キットにおいて、香料組成物は、各「ノート」内で共通の香調を有するベース香料部分と異なる香調を有する特徴香料部分とからなり、この共通の香調を持つベース香料を含有することにより、３つの「ノート」群から、いずれの香料組成物を選択し、いずれの割合で調合してもバランスのとれた良い香りを作ることができる調香用キットに関するものである。【選択図】なし【特許請求の範囲】
【請求項１】
調香者が所望する香調のフレグランスを調香するためのキットであって、「トップノート」、「ミドルノート」及び「エンドノート」の３つの「ノート」群に分類される香料組成物から構成され、調香者が３つの「ノート」群から、それぞれ少なくとも１種の香料組成物を選び、これらを調合してフレグランスを得るための調香用キットにおいて、各「ノート」の香料組成物が、同一「ノート」内で共通の香調を有するベース香料部分と異なる香調を有する特徴香料部分とからなることを特徴とするフレグランス調香用キット。
【請求項２】
前記「トップノート」の香料組成物において、共通の香調を持つベース香料を該組成物中５０〜７０質量％含有することを特徴とする請求項１記載の調香用キット。
【請求項３】
前記「ミドルノート」の香料組成物において、共通の香調を持つベース香料を該組成物中５０〜７０質量％含有することを特徴とする請求項１または２記載の調香用キット。
【請求項４】
前記「エンドノート」の香料組成物において、共通の香調を持つベース香料を該組成物中５０〜７０質量％含有することを特徴とする請求項１〜３の何れかに記載の調香用キット。
【請求項５】
前記「トップノート」の香料組成物において共通の香調を持つベース香料が、酢酸リナリル、リモネン、リナロール、テルピノーレン、オレンジ油、グレープフルーツ油、ベルガモット油、マンダリン油、ライム油、レモン油、ローズウッド油で構成されることを特徴とする請求項１〜４の何れかに記載の調香用キット。
【請求項６】
前記「ミドルノート」の香料組成物において共通の香調を持つベース香料が、α−アミルシンナミックアルデヒド、シトロネロール、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、β−フェニルエチルアルコール、ｐ−ｔｅｒｔ−ブチル−α−メチルヒドロシンナミックアルデヒド（＝リリアール）、α−ヘキシルシンナミックアルデヒド、メチルイソオイゲノール、メチルヨノン、α−ヨノン、β−ヨノンで構成されることを特徴とする請求項１〜５の何れかに記載の調香用キット。
【請求項７】
前記「エンドノート」の香料組成物において共通の香調を持つベース香料が、エチレンブラシレート、ガラクソリド５０％ジプロピレングリコール溶液、クマリン、サリチル酸ベンジル、シクロペンタデカノリド（ペンタリド）、トナリド、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、ｐ−ｔｅｒｔ−ブチル−α−メチルヒドロシンナミックアルデヒド（＝リリアール）、ヘリオトロピンで構成されることを特徴とする請求項１〜６の何れかに記載の調香用キット。
【請求項８】
前記調香用キットが女性向け用であり、「トップノート」、「ミドルノート」及び「エンドノート」の各「ノート」が異なる香調の香料組成物を３種ずつ有し、合計で９種類の香料組成物で構成されるを特徴とする請求項１〜７の何れかに記載の調香用キット。
【請求項９】
前記調香用キットが男性向け用にであり、「トップノート」、「ミドルノート」及び「エンドノート」の各「ノート」が異なる香調の香料組成物を２種ずつ有し、合計で６種類の香料組成物で構成されるを特徴とする請求項１〜８の何れかに記載の調香用キット。
【発明の詳細な説明】
【技術分野】
【０００１】
本発明は、調香用キットに関し、更に詳しくは、香料の揮発度(持続性）を基準に「トップノート」、「ミドルノート」及び「エンドノート」の３つの「ノート」群に分類される香料組成物を調合することによって、調香者が香りの専門知識を持たなくても、簡便に調香し、フレグランスを得ることができる調香用キットである。香料組成物は、各「ノート」内において共通の香調を持つベース香料部分と異なる香調を持つ特徴香料部分とからなる。そして、この共通の香調を持つベース香料を含有することにより、３つの「ノート」群から、いずれの香料組成物を選択し、いずれの割合で調合してもバランスのとれた良い香りを作ることができる調香用キットに関するものである。
【背景技術】
【０００２】
フレグランス製品（香水、オードパルファム、オーデコロン等）を構成する香料には多数の香料成分が使用されている。従来、香料成分の中には、多くの量を配合しても特徴がでないもの、反対に少量でかなりの特徴がでてしまうものがある。また、それぞれの香料は揮発度により、香りが強く出る時間が異なるものである。そこで、フレグランス製品の塗布の最初からある程度時間が経過した後まで、バランスの良い香りを調香して、イメージする香りに近づけるこは、非常に困難であり、経験と知識を持った専門性が必要であった。
しかし、自分だけの香りや、自分にあった香りを作りたいというニーズがあり、専門知識がなくてもフレグランスを作成する方法が検討されてきた。
例えば、職業や趣味、血液型等から分類し、イメージできる香りの処方を行い自分の香りを作る方法や専門家に香りのイメージを伝え調合してもらう方法などが挙げられるが、これらではもともと決まった香りの中から選ぶものであったり、専門家が作った香りのため、自分自身で調香したという実感は得られなかった。
更に、専門知識なしに、イメージ通りの調香を為しうる技術として、香料組成物を三種類に分けその香料群より選択する調香方法が検討されてきた。（例えば、特許文献１参照）
【０００３】
【特許文献１】特開２００５−１６２９９１号公報
【発明の開示】
【発明が解決しようとする課題】
【０００４】
しかしながら、３種類に分けその香料群より選択する方法では、相性の合うものと合わないものが存在し、自由に調香するには、予め香料の質や量限定する必要があった。
そこで、調香者が専門家でなくても簡便にどのような割合で調合してもバランスのとれた良い香りのフレグランスを調香できる調香用キットが望まれていた。
【課題を解決するための手段】
【０００５】
そこで、本発明者は、調香用キットを、香料の揮発度(持続性）を基準に、「トップノート」、「ミドルノート」及び「エンドノート」というカテゴリーに分け、この３つの「ノート」群はそれぞれ複数の香料組成物で構成されるものとした。そして、この香料組成物は、１つのカテゴリーの「ノート」においては、共通の香調を持つベース香料部分と異なる香調を持つ特徴香料部分とからなる。この共通の香調を持つベース香料が存在することで、３つの「ノート」群から、いずれの香料組成物を選択し、それをどのような割合で調合してもバランスのとれた良い香りのフレグランスを調香できることを見出し、本発明を完成させた。
【０００６】
すなわち、本発明は、揮発度（持続性）を基準に、「トップノート」、「ミドルノート」及び「エンドノート」の３つの「ノート」群に分類される香料組成物から構成され、調香者が３つの「ノート」群から、それぞれ少なくとも１種の香料組成物を選び、これらを調合してフレグランスを得るための調香用キットであって、各「ノート」は複数の香料組成物からなり、その香料組成物は、共通の香調を持つベース香料部分と、異なる香調を持つ特徴香料部分からなり、共通の香調を持つベース香料部分は、同一「ノート」の中では、共通の香調を有するもので構成されることを特徴とする調香用キットを提供するものである。
【発明の効果】
【０００７】
本発明の調香用キットは、調香者が専門家でなくても簡便にどのような割合で調合してもバランスのとれた良い香りのフレグランスを調香できる調香用キットに関するものである。
【発明を実施するための最良の形態】
【０００８】
本発明の調香用キットは、香料の揮発度（持続性）を基準に「トップノート」、「ミドルノート」及び「エンドノート」の３つの「ノート」群に分類される香料組成物から構成されるものである。ここで、香料の揮発度とは、香料をにおい紙に塗布した時ににおいがどれくらい持続するかをみたもので、「トップノート」は２０分位香りがよくにおうもので、「ミドルノート」は２時間位香りがよくにおうもの、「エンドノート」は６時間位香りが残るものとする。
【０００９】
本発明の調香用キットは、各「ノート」が複数の異なる香調を有する香料組成物で構成されるが、例えば、「トップノート」がシトラス系とグリーン系の香調を持つ２種、「ミドルノート」がフレッシュフローラル系とフローラルブーケ系の香調を持つ２種、「エンドノート」がムスキー系とウッディー系の香調を持つ２種の香料組成物の場合は、合計で６種の香料組成物で構成されるものである。
【００１０】
前記香料組成物は、共通の香調を持つベース香料部分（以下、「ユニバーサルベース」と言うことがある。）と、異なる香調を持つ特徴香料部分（以下、「モディファイヤー」と言うことがある。）からなり、ユニバーサルベースは、同一の「ノート」の中では、共通の香調を有するものである。例えば、「トップノート」がシトラス系とグリーン系の香調を持つ２種の香料組成物の場合、「ユニバーサルベース」として、酢酸リナリル、リモネン、リナロール、テルピノーレン、オレンジ油、グレープフルーツ油、ベルガモット油、マンダリン油、ライム油、レモン油、ローズウッド油を共通に含有する。そして、シトラス系は、「ユニバーサルベース」にシトラス系の特徴を持つ「モディファイヤー」を配合しシトラス系香料組成物とする。グリーン系も前記の成分で構成される「ユニバーサルベース」に加え、グリーン系の特徴を持つ「モディファイヤー」を配合して、グリーン系香料組成物とする。
同様に、「ミドルノート」であれば、例えばフレッシュフローラル系とフローラルブーケ系の香調を持つ２種の香料組成物の場合、「ユニバーサルベース」として、α−アミルシンナミックアルデヒド、シトロネロール、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、β−フェニルエチルアルコール、ｐ−ｔｅｒｔ−ブチル−α−メチルヒドロシンナミックアルデヒド（＝リリアール）、α−ヘキシルシンナミックアルデヒド、メチルイソオイゲノール、メチルヨノン、α−ヨノン、β−ヨノンを共通に含有する。そして、フレッシュフローラル系は、「ユニバーサルベース」にフレッシュフローラル系の特徴を持つ「モディファイヤー」を配合しフレッシュフローラル系香料組成物とする。フローラルブーケ系も前記の成分で構成される「ユニバーサルベース」に加え、フローラルブーケ系の特徴を持つ「モディファイヤー」を配合しフローラルブーケ系香料組成物とする。
同様に、「エンドノート」であれば、例えば、ムスキー系とウッディー系の香調を持つ２種の香料組成物の場合、「ユニバーサルベース」として、エチレンブラシレート、ガラクソリド５０質量％ジプロピレングリコール溶液（以下単に、質量％は「％」、ジプロピレングリコール溶液は「ＤＰＧ」と略す。）、クマリン、サリチル酸ベンジル、シクロペンタデカノリド（ペンタリド）、トナリド、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、ｐ−ｔｅｒｔ−ブチル−α−メチルヒドロシンナミックアルデヒド（＝リリアール）、ヘリオトロピンを共通に含有する。そして、ムスキー系は、「ユニバーサルベース」にムスキー系の特徴を持つ「モディファイヤー」を配合しムスキー系香料組成物とする。ウッディー系も前記の成分で構成される「ユニバーサルベース」に加え、ウッディー系の特徴を持つ「モディファイヤー」を配合して、ウッディー系香料組成物とする。
【００１１】
本発明の調香用キットを構成する香料組成物において「ユニバーサルベース」は５０〜９０％含有することが好ましい。この範囲であれば、バランスの良い香りが得られる。
【００１２】
本発明の調香用キットの「トップノート」を構成する香料組成物に配合する香料成分は、特に限定されないが、以下のものをあげることができる。
例えば、「ユニバーサルベース」として好ましいものは、酢酸リナリル、リモネン、リナロール、テルピノーレン、オレンジ油、グレープフルーツ油、ベルガモット油、マンダリン油、ライム油、レモン油、ローズウッド油等が挙げられ、これらの１種または２種以上を含有することができるが、全てを含有したものを「ユニバーサルベース」とすることが好ましい。
【００１３】
「トップノート」を構成する香料組成物で、「モディファイヤー」として配合する香料成分としては、例えば、シトラス系として、ｎ−オクタナール（アルデヒドＣ−８）１０％ＤＰＧ、ｎ−ノナナール（アルデヒドＣ−９）１０％ＤＰＧ、デカナール（アルデヒドＣ−１０）１０％ＤＰＧ、ウンデカナール（アルデヒドＣ−１１）１０％ＤＰＧ、α−ダマスコン１０％ＤＰＧ、β−ダマスコン１０％ＤＰＧ、γ−ダマスコン１０％ＤＰＧ、δ−ダマスコン１０％ＤＰＧ、α−テルピネオール等が挙げられる。
【００１４】
グリーン系としては、デカナール（アルデヒドＣ−１０）１０％ＤＰＧ、ウンデカナール（アルデヒドＣ−１１）１０％ＤＰＧ、２−メチルウンデカナール（アルデヒドＣ−１２ＭＮＡ）１０％ＤＰＧ、カシスベース３４５、酢酸スチラリル、酢酸ｃｉｓ−３−ヘキセニル、サリチル酸ｃｉｓ−３−ヘキセニル、ｃｉｓ−３−ヘキセノール１０％ＤＰＧ、５−メチル−３−ヘプタノンオキシム（＝ステモン）１０％ＤＰＧ、ローズオキサイド１０％ＤＰＧ、Ｇａｌｂｅｘ１８３  １０％ＤＰＧ、ガルバナム油１０％ＤＰＧ、スターアニス油、セージ油、バイオレットリーフ油１０％ＤＰＧ、バジル油１０％ＤＰＧ、ラバンジン油、ラベンダー油、ローレル油等が挙げられる。
【００１５】
フルーティー系としては、γ−ウンデカラクトン１０％ＤＰＧ、α−ダマスコン１０％ＤＰＧ、β−ダマスコン１０％ＤＰＧ、γ−ダマスコン１０％ＤＰＧ、δ−ダマスコン１０％ＤＰＧ、γ−デカラクトン１０％ＤＰＧ、γ−ドデカラクトン１０％ＤＰＧ、ラズベリーケトン等が挙げられる。
【００１６】
本発明の調香用キットの「ミドルノート」を構成する香料組成物に配合する香料成分は、特に限定されないが、以下のものをあげることができる。
例えば、「ユニバーサルベース」として好ましいものは、α−アミルシンナミックアルデヒド、シトロネロール、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、β−フェニルエチルアルコール、ｐ−ｔｅｒｔ−ブチル−α−メチルヒドロシンナミックアルデヒド（＝リリアール）、α−ヘキシルシンナミックアルデヒド、メチルイソオイゲノール、メチルヨノン、α−ヨノン、β−ヨノン等が挙げられ、これらの１種または２種以上を含有することができるが、全てを含有したものを「ユニバーサルベース」とすることが好ましい。
【００１７】
「ミドルノート」を構成する香料組成物で、「モディファイヤー」として配合する香料成分としては、例えば、フレッシュフローラル系として、エチルリナロール、酢酸ゲラニル、酢酸ベンジル、シクラメンアルデヒド、イランイラン油、カミツレ油、ゼラニウム油、タジェート油、ネロリ油等が挙げられる。
【００１８】
フローラルブーケ系としては、イソイースーパー、エチルリナロール、酢酸ゲラニル、酢酸ベンジル、シクラメンアルデヒド、イランイラン油、ジャスミンアブソリュート、ローズ油等が挙げられる。
【００１９】
スウィートフローラル系としては、エチルリナロール、クマリン、ヘリオトロピン、イランイラン油、オリス油、ジャスミンアブソリュート、パチュリ油、ローズ油等が挙げられる。
【００２０】
本発明の調香用キットの「エンドノート」を構成する香料組成物に配合する香料成分は、特に限定されないが、以下のものをあげることができる。
例えば、「ユニバーサルベース」として好ましいものは、エチレンブラシレート、ガラクソリド５０％ＤＰＧ、クマリン、サリチル酸ベンジル、シクロペンタデカノリド（ペンタリド）、トナリド、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、ｐ−ｔｅｒｔ−ブチル−α−メチルヒドロシンナミックアルデヒド（＝リリアール）、ヘリオトロピン等が挙げられ、これらの１種または２種以上を含有することができるが、全てを含有したものを「ユニバーサルベース」とすることが好ましい。
【００２１】
「エンドノート」を構成する香料組成物で、「モディファイヤー」として配合する香料成分としては、例えば、ムスキー系として、アンブレットリド、インドール１０％ＤＰＧ、１１−オキサヘキサデカノリド（Ｍｕｓｋ  Ｒ−１）、アンブレットシード油、オークモスアブソリュート、オリバナム油等が挙げられる。
【００２２】
ウッディ系としては、アンブロキサン１０％ＤＰＧ、イソカンフィルシクロヘキサノール（＝Ｓａｎｄｅｌａ）、カシュメラン、グリサルバ、酢酸グアヤック、酢酸ベチベリル、サンタロール、サンダロール、セドロールメチルエーテル（＝セドランバー）、バンガロール（＝バクダノール）、アンブレットシード油、オークモスアブソリュート、オリバナム油、グアヤックウッド油、サンダルウッド油、セダーウッド油、ヒノキ油、ベチパー油等が挙げられる。
【００２３】
スウィート系としては、エチルバニリン、エチルマルトール、バニリン、マルトール、ラズベリーケトン、オークモスアブソリュート、トンカビーンズアブソリュート、バルサムトルー、バルサムペルー、ベンゾイン等が挙げられる。
【００２４】
尚、本発明の調香用キットにおいて、「トップノート」、「ミドルノート」、「エンドノート」は、揮発度を基準にして分類されるが、それぞれを構成する香料組成物に配合する香料成分は、「ノート」間で重複して用いられることがある。
【００２５】
本発明の調香用キットは、調香者が、「トップノート」、「ミドルノート」、「エンドノート」から、所望の香料組成物を１種類ずつ選び、自分の好みに合わせて量を決めることができるが、例えば、香料組成物の選択は「ミドルノート」、「トップノート」、「エンドノート」の順に選び、「ミドルノート」が骨格となるような量、例えば、７０％程度として、「トップノート」を２０％程度、「エンドノート」を１０％程度とすると、所望の香調が持続して好ましいフレグランスが得られる。また、当初所望する量の７割を目安に作成し、好みの香りであれば、残りの３割を足すことで、調合中に修正することができるため好ましい。調合の際は、秤を用いずに、スポイド等を用い、ビーカーに入れ大体の目安で簡便に作成することができる。
フレグランスは一般的に香料成分をエチルアルコールで希釈して使用するものである。
例えば、オーデコロンとしては、香料成分が５〜１０％程度、オードトワレとしては、１０〜１５％程度、香水としては３０％程度の濃度にする。そこで、本発明の調香用キットを構成する香料組成物は、香料成分を５〜３０％含有するように、エチルアルコールで希釈しておくことが好ましい。予め希釈してあるものを使用すれば、後で希釈する必要がなく簡便に調香ができるため好ましい。希釈物は香料成分と同程度の水を含有することが好ましく、水を含有することにより、肌に塗布した際白くなるのを防ぐことができる。
本発明の調香用キットは、「トップノート」、「ミドルノート」、「エンドノート」のカテゴリーが１種類ずつで構成したものを調香用キットとして商品とすることができるが、２種以上で構成されたものを商品とすることもできる。また、調香後のフレグランスを商品とすることもできる。
【００２６】
以下に実施例をあげて本発明を詳細に説明する。尚、これらは本発明を何ら限定するものではない。
【実施例】
【００２７】
実施例１：調香用キット
「トップノート」
下記表１に示す処方のＴ（トップノートユニバーサルベース）（ＴＵ１）を調製し、これを用いて、表２に示すシトラス系香料組成物（Ｔ−１）、グリーン系香料組成物（Ｔ−２）、フルーティー系香料組成物（Ｔ−３）を調製した。
尚、表１〜６では、各ユニバーサルベースを構成する香料成分の好ましい配合量と、それぞれの香料組成物においては、モディファイヤーを構成する香料成分の好ましい配合量とユニバーサルベースの好ましい配合量を記載した。
「ミドルノート」
同様に、下記表３に示す処方のＭ（ミドルノートユニバーサルベース）（ＭＵ１）を調製し、これを用いて、表４に示すフレッシュフローラル系香料組成物（Ｍ−１）、フローラルブーケ系香料組成物（Ｍ−２）、スウィートフローラル系香料組成物（Ｍ−３）を調製した。
「エンドノート」
更に、同様に、下記表５に示す処方のＥ（エンドノートユニバーサルベース（ＥＵ１）を調製し、これを用いて、表６に示すムスキー系香料組成物（Ｅ−１）、ウッディー系香料組成物（Ｅ−２）、スウィート系香料組成物（Ｅ−３）を調製した。
「調香用キット」
先に調整した香料組成物であるＴ−１、Ｔ−２、Ｔ−３、Ｍ−１、Ｍ−２、Ｍ−３、Ｅ−１、Ｅ−２、Ｅ−３を、水を５％含有するエチルアルコール溶液で、それぞれ５％に希釈し、各々をスポイト付香料瓶に詰めて、これらを、調香用キットとした。
【００２８】
【表１】
2009144150.tif 000002
【００２９】
【表２】
2009144150.tif 000003
＊１：ＴＵ１を使用した。
【００３０】
【表３】
2009144150.tif 000004
【００３１】
【表４】
2009144150.tif 000005
＊２：ＭＵ１を使用した。
【００３２】
【表５】
2009144150.tif 000006
【００３３】
【表６】
2009144150.tif 000007
＊３：ＥＵ１を使用した。
【００３４】
実施例２〜１０：調香用キット使用例
下記表７に示す実施例２〜１０の処方でフレグランスを作成した。これらについて、専門パネル４名で香りのバランスについて下記評価方法により、絶対評価基準に従い評点をつけ、各評点の平均点より下記判定方法に基づいて判定を行った。
【００３５】
【表７】
2009144150.tif 000008
【００３６】
（評価方法）
におい紙に実施例のフレグランスを塗布し、アルコール分を揮発させた直後の香りと、塗布後室温で１時間放置後の香り、塗布後室温で３時間放置後の香りについて、下記評点を基準に香りのバランスについて評価を行った。その結果も併せて表７に示した。
【００３７】
絶対評価基準
（評点）：（評価）
５：非常に良い
４：良い
３：普通
２：やや悪い
１：悪い
【００３８】
４段階判定基準
（判定）：（評点の平均点）
◎  ：４．５点以上
○  ：３．５点以上４．５点未満
△  ：２．５点以上３．５点未満
×  ：２．５点未満
【００３９】
表７の結果から明らかな如く、本発明の実施例２〜１０のフレグランスは、アルコール分を揮発させた直後、塗布後室温で１時間放置後、塗布後室温で３時間放置後の全てにおいてバランスのとれた優れたものであった。
【００４０】
実施例１１〜１６：調香用キット使用例
下記表８に示す実施例１１〜１６の処方でフレグランスを作成した。これらについて、実施例２〜１０と同様に評価を行い、その判定結果を併せて表８に示した。
【００４１】
【表８】
2009144150.tif 000009
【００４２】
表８の結果から明らかな如く、本発明の実施例１１〜１６のフレグランスは、アルコール分を揮発させた直後、塗布後室温で１時間放置後、塗布後室温で３時間放置後の全てにおいてバランスのとれた優れたものであった。
【００４３】
実施例１７：調香用キットの使用方法（フレグランスの調香体験）
ステップ１：初めにフレグランスの香りの構成について説明する。
トップノート：持続時間２０分位
ミドルノート：持続時間２時間位
エンドノート：持続時間６時間位
これらをパネルに記載したものを使用する。
ステップ２：調香の仕方を説明しながら実施する。
１．初めに、３種のミドルノートの中からお好きな香りを一つ選んでください。
２．続いて、３種のトップノートの中からお好きな香りを一つ選んでください。
３．最後に、３種のエンドノートの中からお好きな香りを一つ選んでください。
４．処方箋に選んだ各ノートの番号を記入し、合計が２０ｍｌになるように各々の割合を記入します（表９の処方Ｎｏ．Ａ参照）。
５．処方箋通りにビーカーに調合します。
６．調合が終わったらよく混ぜて、匂い紙につけて調合した香りを評価しましょう。
７．この香りでＯＫであれば、同じ割合で３つのノートを増やして３０ｍｌになるようにします（表９の処方Ｎｏ．Ｂ参照）。もしお気に召さない時は、３０ｍｌになるまで自由に３つのノートを加えてください（表９の処方Ｎｏ．Ｃ参照）。
８．最後にお気に入りの香りをスプレービンに詰めてお持ち帰りください。
【００４４】
【表９】
2009144150.tif 000010
【００４５】
以上のように、フレグランスの調香体験をすることによって、調香者が香りの専門知識を持たなくても、簡便に調香し、フレグランスを得ることができることがわかる。